(57)【要約】  本発明は、ローミングユーザがホームネットワークに属する番号の希望ダイヤル形式を国内形式とするか又はローミングする訪問先ネットワークからの国際形式とするかを指定できるため、発呼の種類に基づき且つユーザの地理的場所及び好みの双方に応じた制約の処理が対応して適用される機構を提供することを目的とする。従って、本発明は、ユーザの場所に関する情報が、アクセス場所及びユーザの好みを考慮して、共にユーザに対するホームネットワーク内にあるホーム加入者サーバからサービングコールセッション制御機能エンティティへ送信される新規の方法を提供する。
2008541550.tif 000002
【特許請求の範囲】
【請求項１】
３ＧＰＰ ＩＰマルチメディアサブシステムに従って動作するマルチメディアインフラストラクチャ（ＩＭＳ）を有するホームネットワークの加入者に対する加入者データを管理するホーム加入者サーバ（ＨＳＳ）であり、
選択されたアクセスネットワーク（ＧＰＲＳ、ＷＬＡＮ）から加入者（ＵＥ）のアクセス場所に関する情報を受信する手段と、
発呼の種類に応じて加入者メッセージに適用されてもよい多くのフィルタ基準（ＩＦＣ）を含む前記加入者に対する少なくとも１つのユーザプロファイル（ＩＭＳサービスプロファイル）と、
を有するホーム加入者サーバであって、
前記ホームネットワークにおいて前記加入者に割り当てられたサービングコールセッション制御機能（Ｓ−ＣＳＣＦ）エンティティに対して、前記加入者の前記アクセス場所に関する情報を前記加入者のユーザプロファイルと共に渡す手段を備える
ことを特徴とするホーム加入者サーバ。
【請求項２】
加入者の前記アクセス場所に関する情報を受信する前記手段は、前記加入者がアクセスした際に介した前記選択されたアクセスネットワーク（ＧＰＲＳ、ＷＬＡＮ）におけるアクセスエンティティ（ＳＧＳＮ、ＷＡＧ）の識別子を受信する手段を有する、請求項１記載のホーム加入者サーバ。
【請求項３】
前記アクセスエンティティの前記受信した識別子から国番号（ＣＣ）及び国内宛先コード（ＮＤＣ）を取得する第１の処理手段を更に有する、請求項２記載のホーム加入者サーバ。
【請求項４】
加入者の好みに従って、前記アクセスエンティティの前記受信した識別子から取得された前記国番号又は前記ホームネットワークの前記国番号が前記加入者の前記アクセス場所に関する前記情報に含まれるかを判定する第２の処理手段を更に有する、請求項３記載のホーム加入者サーバ。
【請求項５】
前記加入者の前記アクセス場所に関する前記情報は、前記ユーザに対する前記少なくとも１つのユーザプロファイルに含まれる、請求項１記載のホーム加入者サーバ。
【請求項６】
３ＧＰＰ ＩＰマルチメディアサブシステムに従って動作するネットワークマルチメディアインフラストラクチャ（ＩＭＳ）に登録するホーム加入者（ＵＥ）にサービスを提供するために、ホームネットワークにおいて割り当てられるサービングコールセッション制御機能（Ｓ−ＣＳＣＦ）エンティティであり、
多くのフィルタ基準（ＩＦＣ）を含む前記加入者に対するユーザプロファイル（ＩＭＳサービスプロファイル）をダウンロードする手段と、
発呼の種類に応じた前記フィルタ基準（ＩＦＣ）を加入者メッセージに適用する手段と、
を有するサービングコールセッション制御機能（Ｓ−ＣＳＣＦ）エンティティあって、
前記加入者の前記アクセス場所に関する情報を前記ユーザプロファイルと共に受信する手段と、
前記加入者の前記アクセス場所に関する前記受信情報に基づいて前記フィルタ基準（ＩＦＣ）を適用する手段と、
を備えることを特徴とするサービングコールセッション制御機能（Ｓ−ＣＳＣＦ）エンティティ。
【請求項７】
前記加入者の前記アクセス場所に関する前記受信情報に基づいてダイヤル番号の国際化を実行する手段を更に備える、請求項６記載のサービングコールセッション制御機能（Ｓ−ＣＳＣＦ）エンティティ。
【請求項８】
前記加入者の前記アクセス場所に関する前記受信情報に応じたサービスを適用する手段を更に備える、請求項６記載のサービングコールセッション制御機能（Ｓ−ＣＳＣＦ）エンティティ。
【請求項９】
前記加入者の前記アクセス場所に関して受信される前記情報に含まれる国番号（ＣＣ）は、前記アクセス場所に関する他の情報に関係なくダイヤル番号の国際化を実行するために取得される、請求項６記載のサービングコールセッション制御機能（Ｓ−ＣＳＣＦ）エンティティ。
【請求項１０】
前記フィルタ基準は、前記フィルタ基準を適用する場合に考慮されるローミングケースの指示を含む、請求項６記載のサービングコールセッション制御機能（Ｓ−ＣＳＣＦ）エンティティ。
【請求項１１】
ホームネットワークのサービングコールセッション制御機能（Ｓ−ＣＳＣＦ）エンティティにおいて、３ＧＰＰ ＩＰマルチメディアサブシステムに従って動作するネットワークマルチメディアインフラストラクチャ（ＩＭＳ）に登録するホーム加入者（ＵＥ）のローミング情報に応じたサービスを適用する方法であり、
前記サービングコールセッション制御機能（Ｓ−ＣＳＣＦ）エンティティにおいて、多くのフィルタ基準（ＩＦＣ）を含む前記加入者に対するユーザプロファイル（ＩＭＳサービスプロファイル）を受信するステップと、
前記サービングコールセッション制御機能（Ｓ−ＣＳＣＦ）エンティティにおいて、発呼の種類に応じて前記フィルタ基準（ＩＦＣ）を加入者メッセージに適用するステップと、を有する方法であって、
サービングコールセッション制御機能（Ｓ−ＣＳＣＦ）エンティティにおいて、前記加入者の前記アクセス場所に関する情報を前記ユーザプロファイルと共に受信するステップと、
前記サービングコールセッション制御機能（Ｓ−ＣＳＣＦ）エンティティにおいて、前記加入者の前記アクセス場所に関する前記受信情報に基づいて前記フィルタ基準（ＩＦＣ）を適用するステップと、
を有することを特徴とする方法。
【請求項１２】
前記加入者の前記アクセス場所に関する前記受信情報に基づいてダイヤル番号の国際化を実行するステップを更に有する、請求項１１記載の方法。
【請求項１３】
前記ダイヤル番号の前記国際化を実行するために、前記加入者の前記アクセス場所に関して受信された前記情報に含まれる国番号（ＣＣ）を取得するステップを更に有する、請求項１２記載の方法。
【請求項１４】
サービングコールセッション制御機能（Ｓ−ＣＳＣＦ）エンティティにおいて、前記フィルタ基準（ＩＦＣ）を適用する場合に考慮される多くのローミングケース（Inter、InterEx-HPLMN）を受信するステップを更に有する、請求項１１記載の方法。
【請求項１５】
選択されたアクセスネットワーク（ＧＰＲＳ、ＷＬＡＮ）を介して通信ネットワークのマルチメディアインフラストラクチャ（ＩＭＳ）にアクセスするユーザ端末であり、ユーザに対するアジェンダを名前（「Ｂｏｂ」；「Ｍａｒｙ」）及び他の加入者を示す加入者識別子（MSISDN-1；MSISDN-2）と共に維持する手段を含むユーザ端末であって、前記ユーザ端末は、ダイヤルされた加入者識別子が前記アジェンダから取得される場合、前記マルチメディアインフラストラクチャに通知するために発呼の確立中に指標を含む手段を有することを特徴とするユーザ端末。
【発明の詳細な説明】
【技術分野】
【０００１】
本発明は、一般に、ホームオペレータのマルチメディアインフラストラクチャに含まれるエンティティにおける加入者のローミング情報に応じて適用されるサービスに関する。特に、本発明は、選択されたアクセスネットワーク及びマルチメディアインフラストラクチャのエントリノードが加入者の同一の場所に対応しない場合に、加入者がそのアクセスネットワークを介してマルチメディアインフラストラクチャのエントリノードにアクセスする際に適用されるサービスに関する。
【背景技術】
【０００２】
現在、第３世代パートナーシッププロジェクト（一般に「３ＧＰＰ」として知られる）は、いわゆるＩＰマルチメディアサブシステム（一般に「ＩＭＳ」として知られる）を開発している。これは、３ＧＰＰ文献「Technical Specification Group Services and System Aspects; IP Multimedia (IM) Subsystem (3GPP TS 23.228 version 6.8.0)」（以下、３ＧＰＰ ＴＳ ２３．２２８と呼ぶ）において説明されている。このＩＰマルチメディアサブシステム（ＩＭＳ）は、音声、映像、メッセージング、データ及びウェブに基づく技術等のマルチメディアサービスを従来の電話システムとの通信と共に提供するための要素を具備している。従って、広義には、ＩＰマルチメディアサブシステム（ＩＭＳ）は、ユーザにＩＰマルチメディアサービスを提供するための信号伝送及びベアラに関連するネットワーク要素群を含む。これらのＩＰマルチメディアサービスは、マルチメディアベアラと共にＩＰ接続性を利用するＩＥＴＦ規定のセッション制御能力に基づく。本出願において、マルチメディアセッションは、マルチメディアベアラに対応する信号伝送である。
【０００３】
一般に、ユーザは、事前に接続してＩＰ接続性を取得したアクセスネットワークを介して、ＩＰマルチメディアサブシステムにアクセスする。特に、ＩＰマルチメディアサブシステムは、ユーザが加入者である公衆陸上移動ネットワーク（ＰＬＭＮ）、すなわちホームＰＬＭＮ（ＨＰＬＭＮ）又はホームネットワーク、あるいはユーザがローミングする訪問先ＰＬＭＮ（ＶＰＬＭＮ）又は訪問先ネットワークにおいてインフラストラクチャを有してもよい。
【０００４】
ＩＰマルチメディアサブシステム（ＩＭＳ）は、３ＧＰＰ標準化団体の傘下でアクセス独立型ドメインであることを目的とし、従って、汎用パケット無線システム（ＧＰＲＳ）ネットワーク、無線ローカルエリアネットワーク（ＷＬＡＮ）ホットスポット、ブロードバンドネットワーク、いわゆるＣＤＭＡ２０００又は広帯域ＣＤＭＡ（ＷＣＤＭＡ）等の符号分割多重アクセス（ＣＤＭＡ）ネットワーク、あるいは適用性の最も低い有線ネットワークに従って動作する任意のアクセスネットワークを介してアクセス可能であってもよい。
【０００５】
ユーザが選択されたアクセスネットワークに接続すると、ＩＰ接続性を取得し且つ選択されたアクセスネットワークにおいて利用可能な適切なプロトコル機構によりＩＰマルチメディアサブシステムへのエントリノードを割り当てられるために、ユーザは、前記ＩＰマルチメディアサブシステムに更に登録するための指示をアクセスネットワークに黙示的又は明示的に渡す。上記の３ＧＰＰ ＴＳ ２３．２２８によると、ＩＰマルチメディアサブシステムへのこのエントリノードは、要求を受信して内部で処理することにより又はアプリケーションサーバ等の別のエンティティに対して要求を転送することにより、プロキシのように挙動するいわゆるプロキシコールセッション制御機能（Ｐ−ＣＳＣＦ）である。
【０００６】
現在、選択されたアクセスネットワークを介するＩＭＳへのユーザ登録は、所定のユーザからＰ−ＣＳＣＦに対して発信されるいわゆるセッション開始プロトコル（以下、ＳＩＰと呼ぶ）登録メッセージを用いて実行される。このＳＩＰ登録メッセージは、Ｐ−ＣＳＣＦからＩＭＳインフラストラクチャに含まれるいわゆる問合せコールセッション制御機能（Ｉ−ＣＳＣＦ）に対して転送される。問合せコールセッション制御機能は、他のタスクの中でもサービス制御を実行することによりユーザにサービスを提供するサービングコールセッション制御機能（Ｓ−ＣＳＣＦ）の選択を管理する。
【０００７】
Ｓ−ＣＳＣＦの選択後、Ｉ−ＣＳＣＦは、ユーザが発信した登録メッセージを選択されたＳ−ＣＳＣＦに転送する。このメッセージを受信すると、Ｓ−ＣＳＣＦは、ユーザに対する加入者データを保持するいわゆるホーム加入者サーバ（ＨＳＳ）からの所定のユーザに対するＩＭＳサービスプロファイルを要求する。ＩＭＳサービスプロファイルは一種のユーザプロファイルであり、３ＧＰＰ文献「Technical Specification Group Core Network; IP Multimedia (IM) Subsystem Cx and Dx interfaces; Signalling flows and message contents (3GPP TS 29.228 version 6.5.0)」（以下、３ＧＰＰ ＴＳ ２３．２２８と呼ぶ）において規定されるようなサービス及びユーザに関連するデータの集合である。
【０００８】
ユーザに対して適用可能なＩＭＳサービスプロファイルがＨＳＳからＳ−ＣＳＣＦにおいて受信されると、その後Ｓ−ＣＳＣＦは、発呼の種類に応じたサービスを含むセッション制御サービスをユーザに対して実行し、サービスをサポートするためにネットワークオペレータが必要とするようなセッション状態を維持してもよい。
【０００９】
ＩＭＳ開発の２つの重要な面は、ダイヤル番号の国際化が適用されてもよいそれらのサービスをある程度限定し、国内、国際又は選択された国における発呼の種類に依存するサービスを適用する場合に更に限定することに寄与する。この点において、本発明の目的に対するダイヤル番号の形式の処理は、３ＧＰＰ ＴＳ ２３．２２８ ６．８．０において説明される。第１の面は、ユーザに対するセッション制御がホームネットワーク内で行われるように、ユーザにサービスを提供するためのＳ−ＣＳＣＦをホームネットワーク内で選択することである。第２の面は、ＩＭＳが目的とするアクセス独立型パラダイムである。
【００１０】
現在、ユーザが訪問先ネットワーク内でローミングする場合であっても、３ＧＰＰマルチメディアネットワークは、ユーザのホームネットワークを経由してＩＭＳ ＳＩＰ発呼を中継する。この場合、ユーザのＳＩＰセッションはユーザのホームネットワーク内で割り当てられたＳ−ＣＳＣＦに中継されるため、実際には、ユーザの場所及びＳ−ＣＳＣＦの場所は地理的な観点から見て異なる場合がある。更に、ＩＭＳがアクセス独立型ドメインであるため、ホームネットワーク内のＰ−ＣＳＣＦを割り当てられたユーザは、選択されたアクセスネットワークがホームネットワークオペレータの構外であったとしても、ＩＭＳから見てローミングしていると見なされない。従って、現在のＩＭＳネットワークアーキテクチャにおいて、ユーザにサービスを提供するＳ−ＣＳＣＦは、ユーザがローミングしているか否か及びユーザがローミングしている国を認識できない。Ｓ−ＣＳＣＦは、Ｐ−ＣＳＣＦのネットワーク識別子のみを認識し、ユーザの地理的場所を取得できない。
【００１１】
ユーザがサービングＧＰＲＳサービスノード（ＳＧＳＮ）を介してゲートウェイＧＰＲＳサービスノード（ＧＧＳＮ）にアクセスし且つＧＧＳＮがユーザのホームネットワーク内に物理的に常駐するＧＰＲＳネットワークに選択されたアクセスネットワークとして接続する場合、あるいは、ユーザがＷＬＡＮアクセスゲートウェイ（ＷＡＧ）を介してパケットデータゲートウェイ（ＰＤＧ）にアクセスし且つＰＤＧがユーザのホームネットワークに物理的に常駐するＷＬＡＮネットワークに選択されたアクセスネットワークとして接続する場合、この問題は更に悪化する。これは、ＧＧＳＮ及びＰＤＧの双方が、従来、それらと同一のネットワーク内のＰ−ＣＳＣＦを割り当てるため、Ｓ−ＣＳＣＦに格納され且つＰ−ＣＳＣＦのネットワーク識別子を含んでもよい情報からユーザがローミングしている場所を必ずしも判定できないことが原因である。従って、ユーザが実際は別の国の訪問先ネットワークにいる場合であっても、Ｓ−ＣＳＣＦは、３ＧＰＰ ＩＭＳネットワークにおいて現在存在するアーキテクチャ及び機構を用いて、ユーザに対して開始される全てのＳＩＰセッションをＰ−ＣＳＣＦが属するネットワークの国にローカルであるとして処理する。
【００１２】
ユーザにより認識される第１の問題は、Ｅ．１６４番号がホームネットワークの国に対応するとＳ−ＣＳＣＦが見なす恐れがあるため、ユーザがローミングする国の国内形式でこの番号をダイヤルできないことである。従って、ローミングユーザは、訪問先ネットワーク内の番号を国内形式ではなく国際形式でダイヤルする必要がある。これは、訪問先ネットワーク内の番号に対して国内形式の使用を可能にするＧＳＭにおいて現在サポートされる挙動とは異なる。更に、ローミングユーザに対するダイヤル番号の一様な処理は、そのような一様な処理を望むユーザに対しては有益であると考えられる一方、ユーザの好みに従ってダイヤル動作をカスタマイズしたいと望むユーザにとっては不都合であると見なされる。
【００１３】
従来の方法では、ローミングユーザは、ホームネットワークに属する番号の希望ダイヤル形式を国内形式とするか又は国際形式とするかを指定できない。ローミング時にホームネットワークに属する番号を国内形式でダイヤルするとユーザが決定した場合、ユーザは、訪問先ネットワークに属する番号を国際形式でダイヤルする必要がある。その場合、Ｓ−ＣＳＣＦは、ユーザがローミングする国において発信されたものではなくユーザの国においてローカルに発信されたものとして、ＳＩＰセッションを発信する。その結果、国際通話又は国際セッションに基づく制約は、Ｓ−ＣＳＣＦにおいて適切に適用されない。
【発明の開示】
【発明が解決しようとする課題】
【００１４】
従って、本発明の目的は、ローミングユーザが、ホームネットワークに属する番号の希望ダイヤル形式を国内形式とするか又はユーザがローミングする訪問先ネットワークからの国際形式とするかを指定可能な機構を提供することである。
【００１５】
本発明の更なる目的は、ユーザがローミングを行う場合、発呼の種類に基づき且つユーザの地理的場所及び好みに応じた制約をダイヤル番号の形式に対して適切に処理することである。
【課題を解決するための手段】
【００１６】
上述の目的は、本発明に従って、請求項１１記載の方法及び請求項１、６及び１５記載の連携するエンティティにより達成される。これらのエンティティは、本発明により提供される改良及び新規性により、上述の方法を実行するために通信ネットワークにおいて連携する。
【００１７】
第１の連携するエンティティが提供される。本明細書において、これはホーム加入者サーバであり、３ＧＰＰ ＩＰマルチメディアサブシステムに従って動作するマルチメディアインフラストラクチャを含むホームネットワークの加入者に対する加入者データを管理するエンティティである。ホーム加入者サーバは、加入者のアクセス場所に関する情報を選択されたアクセスネットワークから受信する手段と、発呼の種類に応じて加入者メッセージに適用されてもよい多くのフィルタ基準を含む加入者に対する少なくとも１つのユーザプロファイルとを有する。
【００１８】
このホーム加入者サーバは、加入者のアクセス場所に関する情報を加入者に対するユーザプロファイルと共に第２の連携するエンティティに対して渡す手段を備える。本明細書において、第２の連携するエンティティはサービングコールセッション制御機能であり、前記加入者にサービスを提供するためにホームネットワークにおいて加入者に割り当てられるエンティティである。
【００１９】
サービングコールセッション制御機能エンティティは、３ＧＰＰ ＩＰマルチメディアサブシステムに従って動作するネットワークマルチメディアインフラストラクチャに登録するホーム加入者にサービスを提供するために、ホームネットワークにおいて割り当てられるのに適する。このために、サービングコールセッション制御機能エンティティは、多くのフィルタ基準を含む加入者に対するユーザプロファイルをダウンロードする手段と、発呼の種類に応じたフィルタ基準を加入者メッセージに適用する手段とを有する。
【００２０】
このサービングコールセッション制御機能エンティティは、上記のホーム加入者サーバと連携し、本発明に従って、加入者のアクセス場所に関する情報をユーザプロファイルと共に受信する手段と、加入者のアクセス場所に関する受信情報に基づいてフィルタ基準を適用する手段とを備える。
【００２１】
ホーム加入者サーバは、加入者のアクセス場所に関する情報を受信する手段が、加入者がアクセスした際に介した選択されたアクセスネットワークにおけるアクセスエンティティの識別子を受信する手段を含むように実現されてもよい。これとは別に、ホーム加入者サーバは、アクセスエンティティの受信した識別子から国番号及び国内宛先コードを取得する第１の処理手段を更に含んでもよい。更に、ホーム加入者サーバは、加入者の好みに従って、アクセスエンティティの受信した識別子から取得された国番号又はホームネットワークの国番号が加入者のアクセス場所に関する情報に含まれるかを判定する第２の処理手段を更に含んでもよい。
【００２２】
ホーム加入者サーバは、加入者のアクセス場所に関する情報がユーザに対する少なくとも１つのユーザプロファイルに含まれるように構成されてもよい。
【００２３】
一方、サービングコールセッション制御機能エンティティは、加入者のアクセス場所に関する受信情報に基づいてダイヤル番号の国際化を実行する手段を更に備えてもよく、加入者のアクセス場所に関する受信情報に応じたサービスを適用する手段を更に備えてもよい。
【００２４】
更に、サービングコールセッション制御機能エンティティは、加入者のアクセス場所に関して受信される情報に含まれる国番号がアクセス場所に関する他の情報に関係なくダイヤル番号の国際化を実行するために取得されるように構成されてもよい。
【００２５】
更に、サービングコールセッション制御機能エンティティは、フィルタ基準がフィルタ基準を適用する場合に考慮されるローミングケースの指示を含むように構成されてもよい。
【００２６】
これらのエンティティは、ホームネットワークのサービングコールセッション制御機能エンティティにおいて、３ＧＰＰ ＩＰマルチメディアサブシステムに従って動作するネットワークマルチメディアインフラストラクチャに登録するホーム加入者のローミング情報に応じたサービスを適用する方法を実行するために、通信ネットワーク内で連携する。
【００２７】
本発明に従って、この方法は、サービングコールセッション制御機能エンティティにおいて、多くのフィルタ基準を含む加入者に対するユーザプロファイルを受信するステップと、サービングコールセッション制御機能エンティティにおいて、発呼の種類に応じてフィルタ基準を加入者メッセージに適用するステップと、サービングコールセッション制御機能エンティティにおいて、加入者のアクセス場所に関する情報をユーザプロファイルと共に受信するステップと、サービングコールセッション制御機能エンティティにおいて、加入者のアクセス場所に関する受信情報に基づいてフィルタ基準を適用するステップとを有する。
【００２８】
この方法は、加入者のアクセス場所に関する受信情報に基づいてダイヤル番号の国際化を実行するステップを更に含んでもよい。従って、方法は、ダイヤル番号の国際化を実行するために、加入者のアクセス場所に関して受信された情報に含まれる国番号を取得するステップを更に有してもよい。
【００２９】
それとは別に、方法は、サービングコールセッション制御機能エンティティにおいて、フィルタ基準を適用する場合に考慮される多くのローミングケースを受信するステップを更に有してもよい。
【００３０】
上述の第１及び第２の連携するエンティティは、本発明の一実施形態を実行する第３の連携するエンティティと更に連携してもよい。それにより、ユーザにより直接ダイヤルされた番号及び端末に組み込まれたユーザのアジェンダからダイヤルされた番号に異なる処理が与えられてもよい。
【００３１】
この第３の連携するエンティティは、選択されたアクセスネットワークを介して通信ネットワークのマルチメディアインフラストラクチャにアクセスし、他の加入者を示す名前及び番号等の加入者識別子を有するアジェンダをユーザに対して維持する手段を含むユーザ端末である。本発明に従って、このユーザ端末は、ダイヤルされた加入者識別子がアジェンダから取得される場合、マルチメディアインフラストラクチャに通知するために発呼の確立中に指標を含む手段を有する。
【００３２】
従って、ユーザ端末は、ダイヤル番号がアジェンダから選択された場合は指標を常に追加するように構成されてもよく、番号毎にそのような指標を提供するためにユーザがそのようなオプションを設定できるようにユーザの好みを伴って構成されてもよく、あるいは、対応するアクセス場所を設定するために、通信ネットワークのマルチメディアインフラストラクチャ内に維持されるユーザの好みに応じた指標を送信するようにユーザの好みを伴って構成されてもよい。
【発明を実施するための最良の形態】
【００３３】
本発明の特徴、目的及び利点は、添付の図面と関連付けて以下の説明を読むことにより明らかとなるだろう。
【００３４】
ローミングユーザが、ホームネットワークに属する番号の希望ダイヤル形式を国内形式とするか又はローミングする訪問先ネットワークからの国際形式とするか、並びに訪問先ネットワークに属する番号をそこの国内形式でダイヤルするか又は国際形式でダイヤルするかを指定できるいくつかの好適な実施形態を以下に説明する。また、ダイヤル番号に対するこの選択可能な形式は、発呼の種類及びユーザの地理的場所に依存してもよいサービス及び制約の適用に対して考慮される。
【００３５】
本明細書を通じて、簡潔にするために、用語「ユーザ」、「加入者」及び「ユーザ機器」は区別されず、以下、これらを略称して「ＵＥ」と呼ぶ。
【００３６】
図１及び図５に示す本発明の第１の実施形態において、ユーザ（ＵＥ）は、サービングＧＰＲＳサービスノード（ＳＧＳＮ）を介してゲートウェイＧＰＲＳサービスノード（ＧＧＳＮ）にアクセスすることにより、選択されたアクセスネットワークとしてＧＰＲＳネットワークに接続し、いわゆる「ＰＤＰコンテキスト起動」手順を実行する。これにより、ＩＰマルチメディアサブシステムに更に登録するための指示は、ユーザにＰ−ＣＳＣＦを割り当てるための「Ｐ−ＣＳＣＦ発見」手順を実行する必要性と共に黙示的又は明示的に示される。
【００３７】
ユーザ接続の結果として、並びにユーザが選択されたアクセスネットワークにアクセスするのを許可するためにホームネットワークにより実行されるユーザ認証の一部として、ホームネットワーク内のユーザを管理するＨＳＳは、ユーザがアクセスしたＳＧＳＮの識別子を取得する。ＳＧＳＮの識別子により、ＨＳＳはユーザのアクセス場所（ＬＯＣ）に関する情報を取得し、それを格納してもよい。
【００３８】
ユーザとＧＧＳＮとの間のこの「ＰＤＰコンテキスト起動」手順の間、ユーザはＩＰアドレスを割り当てられ、上述のＩＰ接続性を取得する。また、「ＰＤＰコンテキスト起動」手順の間又はその直後、ユーザにＰ−ＣＳＣＦを割り当てるために、「Ｐ−ＣＳＣＦ発見」手順は実行される。Ｐ−ＣＳＣＦは、ＩＰマルチメディアサブシステム内の第１の接触点であり、プロキシのように挙動し、従って、要求を受信して内部で処理するか又はそれらを転送する。
【００３９】
ＰＤＰコンテキストが動作され且つユーザがＩＰ接続性を取得すると、ユーザは、割り当てられたＰ−ＣＳＣＦを介してＩＭＳに登録してもよい。ユーザに割り当てられるＰ−ＣＳＣＦは、ユーザがアクセス時に介するＧＧＳＮと同一のネットワーク内にあるのが好ましく、本実地形態において、それらは共にユーザの契約中のホームネットワークに属する。
【００４０】
ＩＭＳへのユーザ登録は、ＧＰＲＳが選択されたアクセスネットワークである図１及び図５に示すように、所定のユーザ（ＵＥ）から発信されてＰ−ＣＳＣＦに対して送信される（Ｓ−０１）ＳＩＰ登録メッセージを用いて実行されてもよい。このＳＩＰ登録メッセージは、Ｐ−ＣＳＣＦからホームネットワークのＩＭＳインフラストラクチャに含まれるＩ−ＣＳＣＦに対して転送される（Ｓ−０２）。Ｉ−ＣＳＣＦは、他のタスクの中でもサービス制御を実行することにより、ユーザにサービスを提供するＳ−ＣＳＣＦの選択を管理する。
【００４１】
Ｓ−ＣＳＣＦの選択は、所定のユーザ（ＵＥ）が要求するそれらのサービス能力に適合するために選択可能なＳ−ＣＳＣＦが有する必要がある能力を考慮して、Ｉ−ＣＳＣＦにおいて実行される。Ｓ−ＣＳＣＦを選択する能力は、所定のユーザに対する加入者データを管理するホームネットワーク（ＨＰＬＭＮ）のエンティティであるＨＳＳからＩ−ＣＳＣＦに提供される（Ｓ−０３）。
【００４２】
Ｓ−ＣＳＣＦが選択されると、Ｉ−ＣＳＣＦは、ユーザ（ＵＥ）により発信されたＳＩＰ登録メッセージを選択されたＳ−ＣＳＣＦに転送する（Ｓ−０４）。このメッセージを受信すると、Ｓ−ＣＳＣＦは、ユーザの加入者データを保持するＨＳＳに所定のユーザ（ＵＥ）に対するＩＭＳサービスプロファイルを要求する（Ｓ−０５）。ＩＭＳサービスプロファイルは、一種のユーザプロファイル、すなわちサービス及びユーザに関連するデータの集合であり、ＳＩＰ要求が任意のアプリケーションサーバ（ＡＰ）に転送される必要があるか否かを判定するために、いわゆる初期フィルタ基準（ＩＦＣ）を含んでもよい。
【００４３】
これらの初期フィルタ基準は、アプリケーションに対する一種の契約を表し、アプリケーションが実行するアプリケーションサーバ（ＡＳ）をアドレス指定するのに適した識別子、デフォルト処理指標、トリガポイント、優先順位及びサービス情報を含んでもよい。トリガポイントは、適用可能な初期フィルタ基準の下で参照される任意の特定のアプリケーションサーバ（ＡＳ）に転送される必要がある初期ＳＩＰ要求の部分集合を規定する。原則として、初期フィルタ基準（ＩＦＣ）は、初期ＳＩＰ要求に対して１つずつ評価される。
【００４４】
同一のユーザに対して１つ以上のユーザプロファイルがあってもよく、適用可能なユーザプロファイルの選択は、ユーザから発信されるＳＩＰ登録メッセージ内に与えられてもよい１つ以上のユーザ識別子を考慮して、ＨＳＳにおいて行われる。
【００４５】
適用可能なＩＦＣを含み且つユーザ（ＵＥ）に対して適用可能なＩＭＳサービスプロファイルがＨＳＳにより選択されると、アクセスネットワークがＧＰＲＳネットワークであるこの第１の実施形態の下、ＨＳＳは、ＳＧＳＮの識別子から取得されたユーザのアクセス場所（ＬＯＣ）に関する情報を記憶装置から取り出す。
【００４６】
この第１の説明された実施形態及び更に開示される実施形態に適用可能な本発明の面に従って、ＨＳＳは、Ｓ−ＣＳＣＦにおける処理を簡潔にするのに適切な形式で、アクセス場所（ＬＯＣ）に関する情報をＳ−ＣＳＣＦに提供する。ダイヤル番号の国際化を実行し且つローミング情報に応じたサービスを適用するために、基本的には２種類の情報が考慮されるが、他の情報が同様に有利に考慮されてもよい。
【００４７】
提供される第１の種類の情報は、ダイヤル番号を国際化するために使用される国番号（ＣＣ）であってもよい。従って、新しいフィールドは、番号を国際化するために使用されるＣＣを示すCx-put-response動作において提供されるＩＭＳプロファイルに含まれてもよい。ＨＳＳは、電話番号を訪問先ネットワークの形式で使用するか又は常にホームネットワークの形式で使用するかに関するユーザの好みを規定するユーザデータ情報を有する。
【００４８】
従って、ＨＳＳは、番号の国際化に使用される適切なＣＣを提供してもよく、ＣＣは、以下のユーザの好みに従って選択される：
（ａ）ユーザがホームネットワーク内と同様に電話番号をダイヤルすることを常に希望する場合、ＨＳＳはホームネットワークのＣＣを送信する。
（ｂ）ユーザがローミングするネットワークの電話番号をダイヤルすることを希望する場合、ＨＳＳは、ユーザが接続される本実施形態の下でＳＧＳＮの識別子から取得されるＣＣを記憶装置から検索する。尚、ＳＧＳＮがホームの国にある場合、ホームネットワークのＣＣはＳ−ＣＳＣＦに提供されるＣＣである。
（ｃ）ユーザが端末のアジェンダに格納された番号に対してはホームネットワーク内と同様に電話番号をダイヤルする組み合わせを希望する場合、端末は、ダイヤル番号がアジェンダから選択されたことを示すフラグを追加し、ダイヤル番号がアジェンダから選択されない場合は、訪問先ネットワークの電話番号を対応する国内形式でダイヤルする。
【００４９】
提供される第２の種類の情報は、ローミングに応じたサービスを分析するためのローミングケースであってもよい。従って、新しいフィールドは、Cx-put-response動作においてトリガポイントの評価中に考慮されるローミングケースを示すＳ−ＣＳＣＦにダウンロードされるＩＭＳプロファイルのＩＦＣに含まれてもよい。これらのローミングケースは、例えば、国際送信先及びＨＰＬＭＮの国以外の国際送信先を含んでもよい。これらのローミングケースは、ダウンロードされたＣＣに関してダイヤル番号を分析する際にＩＦＣが適用可能かを判定するために使用されてもよい。本発明の本来の目的から逸脱せずに、ＩＭＳプロファイルのＩＦＣに含まれない他のフィールドが使用されてもよい。
【００５０】
図１及び図５を再度参照する。ＩＭＳサービスプロファイルがユーザに対して選択され且つアクセス場所（ＬＯＣ）に関する情報が検索されると、ＨＳＳはＳ−ＣＳＣＦに対してそれらを送信する（Ｓ−０６）。ＩＭＳプロファイル及びユーザ（ＵＥ）に対してアクセス場所（ＬＯＣ）を受信すると、Ｓ−ＣＳＣＦは、ユーザに対するセッション制御サービスを実行し、発呼の種類に応じたＩＦＣを適用し、ユーザの地理的場所に依存するサービスをサポートするためにネットワークオペレータが必要とするようなセッション状態を維持できる。すなわち、Ｓ−ＣＳＣＦは、ダイヤル番号をＨＳＳから受信したアクセス場所（ＬＯＣ）に従って国際化されたダイヤル番号に置き換え且つトリガポイントの評価中に規定されるローミングケースを適用することにより、ユーザ側（ＵＥ）から受信されるＳＩＰ ＩＮＶＩＴＥ動作を処理してもよい。
【００５１】
図３及び図６に示す本発明の第２の実施形態において、最初にＷＬＡＮアクセスサーバ（ＷＡＳ）を介して訪問先ネットワーク内のいわゆる「認証／許可／課金」（ＡＡＡ）プロキシ（ＡＡＡプロキシ）にアクセスし、そこからホームネットワーク内の「認証／許可／課金」サーバ（ＡＡＡサーバ）に向かうことにより、あるいは、ローミング状態が生じない場合は、ユーザがＷＬＡＮアクセスネットワークにアクセスするのを許可するためにＷＬＡＮアクセスサーバ（ＷＡＳ）からホームネットワーク内の「認証／許可／課金」サーバ（ＡＡＡサーバ）に直接アクセスすることにより、ユーザ（ＵＥ）は選択されたアクセスネットワークとしてＷＬＡＮネットワークに接続する。そのような許可が取得されると、ユーザは、ＷＬＡＮアクセスゲートウェイ（ＷＡＧ）を介してパケットデータゲートウェイ（ＰＤＧ）にアクセスすることにより、ＩＰマルチメディアサブシステムへの更なる登録を示す指示とユーザにＰ−ＣＳＣＦを割り当てるために「Ｐ−ＣＳＣＦ発見」手順を実行する必要性とを黙示的又は明示的に提供してもよい。
【００５２】
ユーザがＷＬＡＮに接続した結果、ＨＳＳは加入者がローミングしているＡＡＡプロキシを通知される。ＡＡＡプロキシ識別子の代わりに又はそれに加えて、ＨＳＳは、ユーザが訪問先ネットワークにアクセスする際に介するＷＬＡＮアクセスゲートウェイ（ＷＡＧ）の識別子及びパケットデータゲートウェイ（ＰＤＧ）の識別子、更にはＷＬＡＮネットワーク内の位置づけ機能から取得可能なユーザの正確な場所を取得してもよい。ＷＬＡＮアクセスに対する手順を３ＧＰＰネットワークに拡張することにより、ＨＳＳは、ユーザがアクセスしているネットワークに関する情報を受信してもよく、可能な場合は、ローミングネットワークにおいて使用される国番号及び国内宛先コードの取得を可能にする表を維持してもよい。
【００５３】
ＧＰＲＳアクセスネットワークの場合と同様に、ＷＬＡＮアクセスネットワークを介してアクセスするユーザはＩＰアドレスを割り当てられ、それによって上述のＩＰ接続性を取得し、ＩＭＳインフラストラクチャにアクセスするためのエントリポイントとしてＰ−ＣＳＣＦを割り当てられる。従って、いわゆるＩＰトンネルは安全上の理由によりセットアップされ、ユーザ（ＵＥ）とパケットデータゲートウェイ（ＰＤＧ）との間の通信では、本人確認のためにユーザに割り当てられたＩＰアドレスに対する成りすましが防止される。
【００５４】
その後、ＧＰＲＳアクセスネットワークを介してアクセスする場合と同様の方法で、図３及び図６に示すように、割り当てられたＰ−ＣＳＣＦに所定のユーザ（ＵＥ）から発信されるＳＩＰ登録メッセージを送信する（Ｓ−０１）ことにより、ユーザ（ＵＥ）はＩＭＳにアクセスしてもよい。ユーザにサービスを提供するためのＳ−ＣＳＣＦの選択及びサービス制御のために、このＳＩＰ登録メッセージは、Ｐ−ＣＳＣＦからホームネットワークのＩＭＳ部内のＩ−ＣＳＣＦに対して転送される（Ｓ−０２）。
【００５５】
Ｉ−ＣＳＣＦは、所定のユーザ（ＵＥ）が要求するそれらのサービス能力に適合するために選択可能なＳ-ＣＳＣＦが有する必要がある能力を要求し（Ｓ-０３）、ＨＳＳはそのような能力を提供する（Ｓ−０３）。Ｓ−ＣＳＣＦが選択されると、Ｉ−ＣＳＣＦは、ユーザ（ＵＥ）により発信されたＳＩＰ登録メッセージを選択されたＳ−ＣＳＣＦに転送する（Ｓ−０４）。このメッセージを受信すると、Ｓ−ＣＳＣＦは、ユーザの加入者データを保持するＨＳＳに所定のユーザ（ＵＥ）に対するＩＭＳサービスプロファイルを要求する（Ｓ−０５）。
【００５６】
その後、ＨＳＳは、ＩＭＳプロファイル及びユーザ（ＵＥ）に対するアクセス場所（ＬＯＣ）をＳ−ＣＳＣＦに対して送信する（Ｓ−０６）。アクセス場所は、本発明の面に従って上述されたような２種類の情報の少なくとも一方を含むのが好ましい。選択されたアクセスネットワークがＧＰＲＳネットワークである実施形態の場合、ＩＭＳプロファイル及びユーザ（ＵＥ）に対するアクセス場所（ＬＯＣ）を受信すると、Ｓ−ＣＳＣＦは、ユーザに対してセッション制御サービスを実行し、発呼の種類に応じたＩＦＣを適用し、ユーザの地理的場所に依存するサービスをサポートするためにネットワークオペレータが必要とするようなセッション状態を維持できる。
【００５７】
換言すると、Ｓ−ＣＳＣＦは、ダイヤル番号を国際化された番号に置き換え且つトリガポイントの評価中に規定されるローミングケースを適用することにより、ユーザ側（ＵＥ）から受信されるＳＩＰ ＩＮＶＩＴＥ動作を処理してもよい。
【００５８】
図１及び図５に示した第１の実施形態、並びに図３及び図６に示した第２の実施形態とは別に、本発明は、Ｐ−ＣＳＣＦが訪問先ネットワーク内にある選択されたアクセスネットワークであるＧＰＲＳに対する図２に示す実施形態、並びにＰ−ＣＳＣＦが訪問先ネットワーク内にある選択されたアクセスネットワークであるＷＬＡＮに対する図４に示す実施形態等の他の実施形態にも適用可能である。
【００５９】
本発明の実施形態がマルチメディアネットワークに適用される３つのユースケースを以下に示すが、例示であってそれらに限定されない。
【００６０】
図７に示す第１のユースケースにおいて、Ａ側（ＵＥ−Ａ）となるユーザ（ＵＥ）は、Ａ側がローミングする訪問先ネットワーク（ＶＰＬＭＮ）の番号付けプランに従って、すなわち、「＋」又は国番号等の国際アクセスコードを使用せずに、Ｂ側の番号にダイヤルする。そのようにして発信されるＳＩＰセッションは、Ａ側のホーム通信ネットワーク（ＨＰＬＭＮ）内のＳ−ＣＳＣＦに中継される（Ｓ−２１）。Ｓ−ＣＳＣＦは、ローミング状態を含む登録状態と訪問先ネットワーク（ＶＰＬＭＮ）の国番号（ＣＣ）を含むアクセス場所（ＬＯＣ）と共に、Ａ側のユーザ（ＵＥ）に対するＩＭＳプロファイルをＨＳＳからダウンロードする。
【００６１】
この状況において、Ｓ−ＣＳＣＦは、対応するＩＦＣがローミングユーザに対してトリガされるかを確認してもよく、それによって不正及びセキュリティホールを回避する。そのようなトリガが可能であって、ユーザが訪問先ネットワークの国内形式で番号をダイヤルすることを要求した場合、Ｓ−ＣＳＣＦはダイヤル番号に「＋ ＣＣ」を追加してもよい。このダイヤル番号国際化の実行後、Ｓ−ＣＳＣＦはＳＩＰセッションを訪問先ネットワーク（ＶＰＬＭＮ）内のＢ側のユーザ（ＵＥ−Ｂ）に中継してもよい（Ｓ−２２）。
【００６２】
図８に示す第２のユースケースにおいて、Ａ側のユーザ（ＵＥ−Ａ）は、ユーザがローミングする訪問先ネットワークに関係なく、ホームネットワークに属する番号をホームネットワークの国内形式でダイヤルすることを希望する。このユースケースにおいて、ユーザ（ＵＥ−Ａ）は、Ａ側のユーザ（ＵＥ−Ａ）が属するホームネットワークの番号付けプランに従って、すなわち「＋」又は国番号等の国際アクセスコードを使用せずに、ホームネットワーク（ＨＰＬＭＮ）内のＢ側（ＵＥ−Ｂ）の番号にダイヤルする。そのようにして発信されるＳＩＰセッションは、Ａ側のホーム通信ネットワーク（ＨＰＬＭＮ）内のＳ−ＣＳＣＦに中継され（Ｓ−２１）、Ｓ−ＣＳＣＦは、ローミング状態を含む登録状態とホームネットワークの国番号（ＣＣ）を含むアクセス場所（ＬＯＣ）と共に、Ａ側のユーザ（ＵＥ−Ａ）に対するＩＭＳプロファイルをＨＳＳからダウンロードする。
【００６３】
前述のユースケースの場合、Ｓ−ＣＳＣＦは、対応するＩＦＣがローミングユーザに対してトリガされるかを確認してもよく、それにより不正及びセキュリティホールを回避する。そのようなトリガが可能であって、ユーザがホームネットワークの国内形式で番号をダイヤルすることを要求した場合、Ｓ−ＣＳＣＦはダイヤル番号に「＋ ＣＣ」を追加してもよい。このダイヤル番号国際化の実行後、Ｓ−ＣＳＣＦはＳＩＰセッションをホームネットワーク（ＶＰＬＭＮ）内のＢ側のユーザ（ＵＥ−Ｂ）に中継してもよい（Ｓ−２３）。
【００６４】
第３のユースケースは、図９に示す組み合わせである。この場合、Ａ側のユーザ（ＵＥ−Ａ）は、ユーザがローミングする訪問先ネットワーク（ＶＰＬＭＮ）の国内形式で番号をダイヤルすることを希望し、アジェンダに格納され且つホームネットワーク（ＨＰＬＭＮ）に属するこれらの番号は、「＋」又は国番号等の国際アクセスコードを追加せずに、ホームネットワーク（ＨＰＬＭＮ）の国内形式でダイヤルされる。
【００６５】
このユースケースにおいて、ユーザ（ＵＥ−Ａ）は、Ａ側のユーザ（ＵＥ−Ａ）がローミングする訪問先ネットワークの番号付けプランに従って、すなわち「＋」又は国番号等の国際アクセスコードを使用せずに、訪問先ネットワーク（ＶＰＬＭＮ）内のＢ側のユーザ（ＵＥ−Ｂ）の番号をダイヤルする。前述のユースケースと同様に、そのようにして発信されるＳＩＰセッションは、Ａ側のホーム通信ネットワーク（ＨＰＬＭＮ）内のＳ−ＣＳＣＦに中継され（Ｓ−２１）、Ｓ−ＣＳＣＦは、ローミング状態を含む登録状態と訪問先ネットワーク（ＶＰＬＭＮ）の国番号（ＣＣ）を含むアクセス場所（ＬＯＣ）と共に、Ａ側のユーザ（ＵＥ−Ａ）に対するＩＭＳプロファイルをＨＳＳからダウンロードする。
【００６６】
第１のユースケースの場合、Ｓ−ＣＳＣＦは、対応するＩＦＣがローミングユーザに対してトリガされるかを確認してもよく、それにより不正及びセキュリティホールを回避する。そのようなトリガが可能であって、ユーザが訪問先ネットワークの国内形式で番号をダイヤルすることを要求した場合、Ｓ−ＣＳＣＦはダイヤル番号に「＋ ＣＣ」を追加してもよい。このダイヤル番号国際化の実行後、Ｓ−ＣＳＣＦはＳＩＰセッションを訪問先ネットワーク（ＶＰＬＭＮ）内のＢ側のユーザ（ＵＥ−Ｂ）に中継してもよい（Ｓ−２２）。
【００６７】
しかしながら、ユーザ（ＵＥ−Ａ）がアジェンダから「Ｍａｒｙ」を選択し且つ「Ｍａｒｙ」に対して格納された番号がＡ側のユーザ（ＵＥ−Ａ）が属するホームネットワークの番号付けプランの形式である場合、すなわち、Ｍａｒｙの番号が「＋」又は国番号等の国際アクセスコードを含まない場合、ユーザ端末（ＵＥ−Ａ）は、ＳＩＰ ＩＮＶＩＴＥをＭａｒｙへ送信する（Ｓ−２４）際に、この番号が端末内のユーザのアジェンダから選択されたことを示すフラグをＳＩＰメッセージに追加してもよい。
【００６８】
従って、ユーザ端末は、ダイヤル番号がアジェンダから選択された場合は指標を常に追加するように構成されてもよく、そのような指標を番号毎に提供するためにユーザがそのようなオプションを設定できるようにユーザの好みを伴って構成されてもよく、あるいは第３のユースケースの下での選択を可能にするような対応するアクセス場所（ＬＯＣ）を設定するために、ＨＳＳにおいてユーザの好みに応じた指標を送信するようにユーザの好みを伴って構成されてもよい。
【００６９】
特に、前述のユースケースのように、そのように発信されるＳＩＰセッションはＡ側のホーム通信ネットワーク（ＨＰＬＭＮ）内のＳ−ＣＳＣＦに中継され（Ｓ−２４）、Ｓ−ＣＳＣＦは、ローミング状態を含む登録状態と訪問先ネットワーク（ＶＰＬＭＮ）の国番号（ＣＣ）を含むアクセス場所（ＬＯＣ）と共に、Ａ側のユーザ（ＵＥ−Ａ）に対するＩＭＳプロファイルをＨＳＳからダウンロードする。不正及びセキュリティホールを排除するために、対応するＩＦＣがローミングユーザに対してトリガされるかをＳ−ＣＳＣＦにおいて確認した後、そのようなトリガが可能な場合、Ａ側のユーザ（ＵＥ−Ａ）がホームネットワーク（ＨＰＬＭＮ）の国内形式に従って格納された番号をアジェンダから選択することを要求したため、Ｓ−ＣＳＣＦはホームネットワークの「＋ ＣＣ」を番号に追加する。そのため、Ｓ−ＣＳＣＦは、この番号がアジェンダから選択され且つＨＳＳから受信された訪問先ネットワークの国番号を含まないことを示すフラグを処理した。アジェンダから選択されたＢ側の番号がホームネットワークの対応する「＋ ＣＣ」を既に含んでいた場合、フラグは無視される。
【００７０】
このダイヤル番号国際化を実行後、Ｓ−ＣＳＣＦは、ホームネットワーク（ＨＰＬＭＮ）内の「Ｍａｒｙ」にＳＩＰセッションを中継してもよい（Ｓ−２３）。
【００７１】
本発明は、例示としてのいくつかの実施形態に関して説明されたが、それらに限定されない。上記説明に関して、それら実施形態の変形例及びそれらの組合せが可能であり、請求の範囲の範囲に含まれる実施形態の任意の変更が含まれることが意図されることは明らかである。
【図面の簡単な説明】
【００７２】
【図１】ＧＧＳＮ及びＰ−ＣＳＣＦがホームネットワーク内に位置する場合に、ユーザがＧＰＲＳネットワークを介してＩＭＳにアクセスできる方法を示す基本的な図である。
【図２】ＧＧＳＮ及びＰ−ＣＳＣＦが訪問先ネットワーク内に位置する場合に、ユーザがＧＰＲＳネットワークを介してＩＭＳにアクセスできる方法を示す基本的な図である。
【図３】ＰＤＧ及びＰ−ＣＳＣＦがホームネットワーク内に位置する場合に、ユーザがＷＬＡＮネットワークを介してＩＭＳにアクセスできる方法を示す基本的な図である。
【図４】ＰＤＧ及びＰ−ＣＳＣＦが訪問先ネットワーク内に位置する場合に、ユーザがＷＬＡＮネットワークを介してＩＭＳにアクセスできる方法を示す基本的な図である。
【図５】ユーザがＧＰＲＳネットワークを介してＩＭＳにアクセスする場合に、ユーザにサービスを提供するために割り当てられたＳ−ＣＳＣＦにユーザに対する場所データを提供するための基本的な信号フローを示す図である。
【図６】ユーザがＷＬＡＮネットワークを介してＩＭＳにアクセスする場合に、ユーザにサービスを提供するために割り当てられたＳ−ＣＳＣＦにユーザに対する場所データを提供するための基本的な信号フローを示す図である。
【図７】発呼側ユーザ及び着呼側ユーザが訪問先ネットワーク内に位置する第１のユースケースを示す基本的な図である。
【図８】発呼側ユーザが訪問先ネットワーク内に位置し、着呼側ユーザがホームネットワーク内に位置する第２のユースケースを示す基本的な図である。
【図９】発呼側ユーザが訪問先ネットワーク内に位置し、番号をダイヤルすることによる発呼か又はユーザのアジェンダ内の番号を使用することによる発呼かによって、着呼側ユーザへの発呼に対して異なる処理が行われる第３のユースケースを示す基本的な図である。
【図１】
2008541550.tif 000003
【図２】
2008541550.tif 000004
【図３】
2008541550.tif 000005
【図４】
2008541550.tif 000006
【図５】
2008541550.tif 000007
【図６】
2008541550.tif 000008
【図７】
2008541550.tif 000009
【図８】
2008541550.tif 000010
【図９】
2008541550.tif 000011
【手続補正書】
【提出日】平成19年2月13日(2007.2.13)
【手続補正１】
【補正対象書類名】特許請求の範囲
【補正対象項目名】全文
【補正方法】変更
【補正の内容】
【特許請求の範囲】
【請求項１】
３ＧＰＰ ＩＰマルチメディアサブシステムに従って動作するマルチメディアインフラストラクチャ（ＩＭＳ）を有するホームネットワークの加入者に対する加入者データを管理するホーム加入者サーバ（ＨＳＳ）であって、
選択されたアクセスネットワーク（ＧＰＲＳ、ＷＬＡＮ）から、前記加入者がアクセスした際に介した前記選択されたアクセスネットワーク（ＧＰＲＳ、ＷＬＡＮ）におけるアクセスエンティティ（ＳＧＳＮ、ＷＡＧ）の識別子を含む、加入者（ＵＥ）のアクセス場所に関する情報を受信する手段と、
発呼の種類に応じて加入者メッセージに適用されてもよい多くのフィルタ基準（ＩＦＣ）を含む前記加入者に対するユーザプロファイル（ＩＭＳサービスプロファイル）と、
前記アクセスエンティティの前記受信した識別子から国番号（ＣＣ）を取得する第１の処理手段と、
加入者の好みに従って、取得された前記国番号、又は、前記ホームネットワークの前記国番号が、前記加入者の前記アクセス場所に関する前記情報に含まれるか否かを判定する第２の処理手段と、
前記ホームネットワークにおいて前記加入者に割り当てられたサービングコールセッション制御機能（Ｓ−ＣＳＣＦ）エンティティに対して、前記加入者の前記アクセス場所に関する情報を前記ユーザプロファイルと共に渡す手段と、
を有することを特徴とするホーム加入者サーバ。
【請求項２】
前記第１の処理手段は、前記アクセスエンティティの前記受信した識別子から国内宛先コード（ＮＤＣ）を取得するように構成される、請求項１記載のホーム加入者サーバ。
【請求項３】
取得された前記国内宛先コード（ＮＤＣ）は、前記アクセス場所に関する前記サービングコールセッション制御機能に対して渡された前記情報に含まれる、請求項２記載のホーム加入者サーバ。
【請求項４】
前記アクセス場所に関する前記サービングコールセッション制御機能に対して渡された前記情報は、ローミングに応じたサービスを分析するのに使用されるローミングケースを含む、請求項１記載のホーム加入者サーバ。
【請求項５】
前記加入者の前記アクセス場所に関する前記情報は、前記ユーザに対する前記少なくとも１つのユーザプロファイルに含まれる、請求項１記載のホーム加入者サーバ。
【請求項６】
３ＧＰＰ ＩＰマルチメディアサブシステムに従って動作するネットワークマルチメディアインフラストラクチャ（ＩＭＳ）に登録するホーム加入者（ＵＥ）にサービスを提供するために、ホームネットワークにおいて割り当てられるサービングコールセッション制御機能（Ｓ−ＣＳＣＦ）エンティティであって、
多くのフィルタ基準（ＩＦＣ）を含む前記加入者に対するユーザプロファイル（ＩＭＳサービスプロファイル）をダウンロードする手段と、
ダイヤル番号の国際化を実行するのに使用される国番号（ＣＣ）を含む、前記加入者の前記アクセス場所に関する情報を、前記ユーザプロファイルと共に受信する手段と、
前記国番号を含む、前記加入者の前記アクセス場所に関する前記受信情報に基づいて前記フィルタ基準（ＩＦＣ）を適用する手段と、
を備えることを特徴とするサービングコールセッション制御機能（Ｓ−ＣＳＣＦ）エンティティ。
【請求項７】
前記加入者の前記アクセス場所に関する前記受信情報に基づいてダイヤル番号の国際化を実行する手段を更に備える、請求項６記載のサービングコールセッション制御機能（Ｓ−ＣＳＣＦ）エンティティ。
【請求項８】
前記加入者の前記アクセス場所に関する前記受信情報に応じたサービスを適用する手段を更に備える、請求項６記載のサービングコールセッション制御機能（Ｓ−ＣＳＣＦ）エンティティ。
【請求項９】
発呼の種類に応じて加入者メッセージに前記フィルタ基準（ＩＦＣ）を適用する手段をさらに備える、請求項６記載のサービングコールセッション制御機能（Ｓ−ＣＳＣＦ）エンティティ。
【請求項１０】
前記フィルタ基準は、前記フィルタ基準を適用する場合に考慮されるローミングケースの指示を含む、請求項６記載のサービングコールセッション制御機能（Ｓ−ＣＳＣＦ）エンティティ。
【請求項１１】
ホームネットワークのサービングコールセッション制御機能（Ｓ−ＣＳＣＦ）エンティティにおいて、３ＧＰＰ ＩＰマルチメディアサブシステムに従って動作するネットワークマルチメディアインフラストラクチャ（ＩＭＳ）に登録するホーム加入者（ＵＥ）のローミング情報に応じたサービスを適用する方法であって、
前記サービングコールセッション制御機能（Ｓ−ＣＳＣＦ）エンティティにおいて、多くのフィルタ基準（ＩＦＣ）を含む前記加入者に対するユーザプロファイル（ＩＭＳサービスプロファイル）を受信するステップと、
前記サービングコールセッション制御機能（Ｓ−ＣＳＣＦ）エンティティにおいて、ダイヤル番号の国際化を実行するのに使用される国番号（ＣＣ）を含む、前記加入者の前記アクセス場所に関する情報を、前記ユーザプロファイルと共に受信するステップと、
前記サービングコールセッション制御機能（Ｓ−ＣＳＣＦ）エンティティにおいて、前記国番号を含む、前記加入者の前記アクセス場所に関する前記受信情報に基づいて、前記フィルタ基準（ＩＦＣ）を適用するステップと、
を有することを特徴とする方法。
【請求項１２】
前記加入者の前記アクセス場所に関する前記受信情報に基づいてダイヤル番号の国際化を実行するステップを更に有する、請求項１１記載の方法。
【請求項１３】
前記ダイヤル番号の前記国際化を実行するために、前記国番号（ＣＣ）を取得するステップを更に有する、請求項１２記載の方法。
【請求項１４】
前記サービングコールセッション制御機能（Ｓ−ＣＳＣＦ）エンティティにおいて、前記フィルタ基準（ＩＦＣ）を適用する場合に考慮される多くのローミングケース（Inter、InterEx-HPLMN）を受信するステップを更に有する、請求項１１記載の方法。
【請求項１５】
前記サービングコールセッション制御機能（Ｓ−ＣＳＣＦ）エンティティにおいて、発呼の種類に応じて加入者メッセージに前記フィルタ基準（ＩＦＣ）を適用するステップをさらに有する、請求項１１に記載の方法。
【国際調査報告】
2008541550.tif 000012
2008541550.tif 000013
2008541550.tif 000014
2008541550.tif 000015
2008541550.tif 000016